(57)【要約】【課題】光ディスク装置の使用環境やユーザの好みに応じて偏重心パラメータを簡便で確実に変更し、振動と騒音を低減する。【解決手段】再生信号処理部８は、光ピックアップ３の再生信号から光ディスク１の偏重心に対応するトラックよぎり数（ＴＺＣ値）を検出する。メモリ９は、各ディスク回転速度におけるＴＺＣ値の上限値を規定した複数の偏重心パラメータを格納する。マイコン１０は、検出されたＴＺＣ値が偏重心パラメータに規定される上限値を超えたら、ディスクモータ２の回転速度をパラメータに規定された制限速度に減速する。イジェクトボタン１１は、メモリ９に格納されている複数の偏重心パラメータからユーザが所望のパラメータを選択する。【選択図】図１
2011096325.tif 000002
【特許請求の範囲】
【請求項１】
光ディスクにデータを記録再生する光ディスク装置において、
前記光ディスクを所定の速度で回転させるディスクモータと、
前記光ディスクにレーザビームを照射しデータを記録再生する光ピックアップと、
該光ピックアップの再生信号から前記光ディスクの偏重心に対応するトラックよぎり数（以下、ＴＺＣ値）を検出する再生信号処理部と、
各ディスク回転速度における前記ＴＺＣ値の上限値を規定した複数の偏重心パラメータを格納するメモリと、
該メモリに格納されている複数の偏重心パラメータからユーザが所望のパラメータを選択するためのパラメータ選択手段と、
該選択された偏重心パラメータを参照し、前記検出されたＴＺＣ値に応じて前記ディスクモータの回転速度の変更を指示するマイコンとを備え、
該マイコンは、前記検出されたＴＺＣ値が前記偏重心パラメータに規定される上限値を超えたら、前記ディスクモータの回転速度を前記パラメータに規定された制限速度に減速することを特徴とする光ディスク装置。
【請求項２】
請求項１に記載の光ディスク装置において、
前記ＴＺＣ値は、前記光ディスクを所定のテスト回転周波数で回転させてトラッキングエラー信号を取り込み、ディスク１回転の期間におけるトラッキングエラー信号のパルス数をカウントし、カウント値を基準周波数の値を基準に差分値で表したものであることを特徴とする光ディスク装置。
【請求項３】
請求項１に記載の光ディスク装置において、
前記パラメータ選択手段は、装着された光ディスクをイジェクトするためのイジェクトボタンを利用するとともに、イジェクト表示部の点滅信号により前記複数の偏重心パラメータを識別して表示することを特徴とする光ディスク装置。
【請求項４】
光ディスク装置に格納されている複数の偏重心パラメータから所望のパラメータを選択する偏重心パラメータ選択方法であって、
イジェクトボタンを押して光ディスクをイジェクト状態とし、
さらに所定時間イジェクトボタンを押し続けることで偏重心パラメータの選択モードに移行させ、
イジェクト表示部を点滅させることで、装置に格納されている偏重心パラメータを順に識別して表示し、
所望の偏重心パラメータが表示されている期間にイジェクトボタンを押すことで該パラメータを選択することを特徴とする偏重心パラメータ選択方法。
【発明の詳細な説明】
【技術分野】
【０００１】
本発明は、偏重心を持つ光ディスクの記録再生に好適な光ディスク装置、及び記録再生時の偏重心パラメータ選択方法に関するものである。
【背景技術】
【０００２】
ＣＤやＤＶＤなどの光ディスクは、ディスクの基板となる１．２ミリ厚のポリカーボネート基板の成形精度やレーベル印刷時のインク量によって、ディスクに重心の偏り（偏重心）ができる。偏重心の大きなディスクを光ディスク装置（ドライブ）に装着して回転させると、ドライブが振動し騒音を発生する。振動が過大になると、データを正しく記録再生できないという不具合が発生しうる。こうした問題をなくすために、装着したディスクの偏重心を検出し、検出量に応じて回転速度を制限して振動を抑えるようにしている。
【０００３】
例えば偏重心量の検出には、トラックよぎり数（以下、ＴＺＣ値：Tracking error Zero Cross）を測定する。また、回転速度に対する偏重心量（ＴＺＣ値）の上限値を予め設定し、偏重心パラメータとしてファームウェアに登録しておく。そして、登録したパラメータを参照して、測定したＴＺＣ値がその速度での上限値を越えたなら、回転速度を減速するようにしている。実際には、光ディスク装置はパソコンに組み込んで使用される形態が多く、パソコンの種類により振動状態が異なってくる。そのため、パソコンの種類に応じて異なるパラメータを設定する提案がなされている。
【０００４】
特許文献１には、パソコンに組み込まれる光ディスク装置において、パソコンから送信されるコマンドに基づいてパソコンの種類を識別し、パソコンの種類に従って予め決定されている光ディスクの偏重心の量を表すパラメータを切り換える技術が開示されている。
【０００５】
一方特許文献２には、ユーザの判断でディスク回転速度を変更する技術が開示されている。その際、速度変更スイッチとして既設のイジェクトボタンを利用し、オーディオデータを再生する場合、イジェクトボタンを所定時間以上押した場合に、ディスク回転速度を遅くするものである。
【先行技術文献】
【特許文献】
【０００６】
【特許文献１】特開２００９−５０４９６号公報
【特許文献２】特開２００３−２７２２７９号公報
【発明の概要】
【発明が解決しようとする課題】
【０００７】
前記特許文献１によれば、光ディスク装置が取り付けられるパソコンの種類に適応した偏重心パラメータの設定を行うことができる。しかしながら、同一種類のパソコンであっても、使用環境やパソコン筐体への固定方法により光ディスク装置の振動周波数や振動量が変化してＴＺＣ値がばらついてしまう。すなわち、測定したＴＺＣ値だけではパソコン筐体の振動や騒音を正確に見積もることが困難である。その結果、設定した偏重心パラメータを参照してもユーザの意図通りにディスクの回転速度を制御できず、予想以上の騒音が発生したり、逆に必要以上に減速される場合が生じる。
【０００８】
また最近、光ディスク装置をパソコンに組み込まず、外付け装置として使用する形態も普及してきている。この場合の光ディスク装置の筐体は非常に軽量になるため、ディスクの回転音による騒音が目立ってくる。さらに筐体が軽量であることで偏重心のあるディスクを装着した場合のＴＺＣ値のばらつきが大きく、一通りの偏重心パラメータを用いるだけでは所望の制御が困難となっている。
【０００９】
前記特許文献２では、ユーザの操作によりディスク回転速度を減速して、騒音を低減することができる。しかし、既設のイジェクトボタンを利用するため、本来のイジェクト操作と速度変更操作との操作ミスが発生しやすい。
【００１０】
本発明の目的は、使用環境やユーザの好みに応じて偏重心パラメータを簡便で確実に変更できる光ディスク装置及び偏重心パラメータ選択方法を提供することにある。
【課題を解決するための手段】
【００１１】
本発明による光ディスク装置は、光ディスクを所定の速度で回転させるディスクモータと、光ディスクにレーザビームを照射しデータを記録再生する光ピックアップと、光ピックアップの再生信号から光ディスクの偏重心に対応するトラックよぎり数（ＴＺＣ値）を検出する再生信号処理部と、各ディスク回転速度におけるＴＺＣ値の上限値を規定した複数の偏重心パラメータを格納するメモリと、メモリに格納されている複数の偏重心パラメータからユーザが所望のパラメータを選択するためのパラメータ選択手段と、選択された偏重心パラメータを参照し、検出されたＴＺＣ値に応じてディスクモータの回転速度の変更を指示するマイコンとを備える。マイコンは、検出されたＴＺＣ値が偏重心パラメータに規定される上限値を超えたら、ディスクモータの回転速度をパラメータに規定された制限速度に減速する。
【００１２】
ここに前記パラメータ選択手段は、装着された光ディスクをイジェクトするためのイジェクトボタンを利用するとともに、イジェクト表示部の点滅信号により前記複数の偏重心パラメータを識別して表示する。
【００１３】
本発明は、光ディスク装置に格納されている複数の偏重心パラメータから所望のパラメータを選択する偏重心パラメータ選択方法であって、イジェクトボタンを押して光ディスクをイジェクト状態とし、さらに所定時間イジェクトボタンを押し続けることで偏重心パラメータの選択モードに移行させ、イジェクト表示部を点滅させることで装置に格納されている偏重心パラメータを順に識別して表示し、所望の偏重心パラメータが表示されている期間にイジェクトボタンを押すことで該パラメータを選択する。
【発明の効果】
【００１４】
本発明によれば、使用環境やユーザの好みに応じて装置の振動と騒音を低減する使い勝手の良い光ディスク装置を提供できる。
【図面の簡単な説明】
【００１５】
【図１】本発明による光ディスク装置の一実施例を示すブロック図。
【図２Ａ】偏重心パラメータの具体例（パラメータＡ）を示すグラフとテーブル。
【図２Ｂ】偏重心パラメータの具体例（パラメータＢ）を示すグラフとテーブル。
【図３Ａ】偏重心パラメータを用いた減速判定の例（パソコンＰＣ１とパラメータＡ）を示す図。
【図３Ｂ】偏重心パラメータを用いた減速判定の例（パソコンＰＣ２とパラメータＡ）を示す図。
【図３Ｃ】偏重心パラメータを用いた減速判定の例（パソコンＰＣ２とパラメータＢ）を示す図。
【図４】偏重心パラメータによる減速制御を示すフローチャート。
【図５】偏重心パラメータ選択工程の詳細を示すフローチャート。
【発明を実施するための形態】
【００１６】
以下、本発明による光ディスク装置及び偏重心パラメータ選択方法の実施形態を図面を用いて説明する。
図１は、本発明による光ディスク装置の一実施例を示すブロック図である。光ディスク装置は図示しないパソコン等に組み込まれて、パソコンからの指示でデータの記録再生を行う。
【００１７】
装着された光ディスク１は、ディスクモータ２にて所定の速度で回転され、光ピックアップ３は回転する光ディスク１にレーザビームを照射し、データの記録・再生を行う。モータ回転制御部４は、ディスクモータ２を駆動し回転速度を制御する。光ピックアップ３は、図示しないスレッド機構によりディスク半径方向の所望位置に移動する。光ピックアップ３の内部には、レーザ光源となるレーザダイオードと、光ディスク１からの反射ビームを受光し電気信号に変換するフォトディテクタを有する。レーザドライバ５は、光ピックアップ３のレーザダイオードの発光を駆動する。その際、レーザパワー制御部６は記録再生時に照射するレーザパワーを制御し、エンコーダ７は記録するデータをパルス幅信号に変換する。再生信号処理部８は、光ピックアップ３のフォトディテクタから信号を入力し、再生データ信号、トラッキングエラー信号、フォーカスエラー信号などを生成する。
【００１８】
さらに再生信号処理部８は、トラッキングエラー信号を基に偏重心の指標となるトラックよぎり数（ＴＺＣ値）を検出する。メモリ９はＥＰ−ＲＯＭまたはフラッシュＲＯＭからなり、回転速度と偏重心（ＴＺＣ値）の上限値の関係を示す複数の偏重心パラメータをファームウェアとして格納する。マイコン１０はメモリ９に格納されている偏重心パラメータを参照し、検出されたＴＺＣ値に応じてモータ回転制御部４に回転速度変更の指示を行う。イジェクトボタン１１は光ディスクのイジェクト・ロードを行うだけでなく、ユーザの操作によりメモリ９に登録されている複数の偏重心パラメータから所望のパラメータを選択するパラメータ選択手段としての機能を有する。すなわち、ユーザがイジェクトボタン１１を操作すると、マイコン１０はユーザにより選択されたパラメータに従って、モータ回転制御部４に対し回転速度変更の指示を行う。
【００１９】
ここに偏重心の評価に用いるＴＺＣ値とは、光ピックアップ３のスポットがトラックを横切った回数を示す。偏重心のある光ディスクを回転させると、ディスクを回転駆動するディスクモータ２が振動を起こし、またスレッド機構に取り付けられた光ピックアップ３も振動する。偏重心量とディスクモータ２、光ピックアップ３の振動量は互いに相関があるので、偏重心量が大きくなるにつれＴＺＣ値も増加する。偏重心量（ＴＺＣ値）が大きいと装置の振動や騒音が増大するので、予め各回転速度におけるＴＺＣ値の上限値を定め、偏重心パラメータとしてメモリ９に登録しておく。マイコン１０は、検出されたＴＺＣ値が現在の回転速度の上限値を越えたなら、回転速度を減速するように指示する。
【００２０】
まず、偏重心量を評価するためのＴＺＣ値の測定について説明する。光ディスクを装着して静止状態からスピンアップさせ、ＴＺＣ値測定のための回転周波数（テスト回転数）ｆｔを例えば４５Ｈｚから７５Ｈｚまでの区間で、トラッキングエラー信号を取り込む。トラッキングエラー信号を成形してＴＺＣ信号とし、ディスク１回転の期間におけるＴＺＣ信号のパルス数をカウントしてトラックよぎり数（ＴＺＣ値）を求める。ＴＺＣ値は、測定したＴＺＣ値を基準周波数（４５Ｈｚ）の値を基準値（ゼロ）として、各テスト回転数における値を差分値で表す。差分値で表すのは、ディスクの偏心の成分を除去し、偏重心の成分のみ取り出すためである。ディスクに偏心があると同様にＴＺＣ値としてカウントされるが、偏心は装置の振動や騒音には直接関係がなく、偏心の場合にはＴＺＣ値は回転数に依存せずほぼ一定である。これに対し偏重心の場合には、ＴＺＣ値は回転数に対してほぼ二乗特性で増大する。そこで、回転数に依存しないＴＺＣ値の固定成分を除去することで、偏重心量を抽出することができる。
【００２１】
図２Ａと図２Ｂは、偏重心パラメータの具体例を示すグラフとテーブルである。ここでは２つの例を示し、それぞれ「偏重心パラメータＡ」、「偏重心パラメータＢ」と呼ぶことにする。
【００２２】
記録再生時のディスク回転速度（以下、記録再生速度と呼ぶ）として、１０倍速、１６倍速、２４倍速の３段階の切替えを想定する。偏重心パラメータは、各記録再生速度において振動・騒音が許容範囲内となるためのＴＺＣ値の上限値を規定するものである。換言すれば、記録再生速度を他の速度に減速すべきＴＺＣ値の閾値（減速閾値）を規定するものである。ＴＺＣの閾値は偏重心の評価方法に合わせて、前記のテスト回転数ｆｔにて規定する。ここではテスト回転数ｆｔを４５Ｈｚから７５Ｈｚまで５Ｈｚ間隔で変化させ、各ＴＺＣ値をテーブルに記述している。その際、回転数４５ＨｚのＴＺＣ値を基準（ゼロ）として、各回転数における値を差分値で表している。
【００２３】
偏重心パラメータＡにおけるＴＺＣ値の上限値（減速閾値）を曲線２１Ａ，２２Ａで示す。曲線２１Ａは１６倍速における上限値であり、曲線２２Ａは２４倍速における上限値である。測定したＴＺＣ値が曲線２１Ａの値を超えたら、記録再生速度を１０倍速に減速する。同様に測定したＴＺＣ値が曲線２２Ａの値を超えたら、記録再生速度を１６倍速に減速する。
【００２４】
偏重心パラメータＢにおけるＴＺＣ値の上限値（減速閾値）を曲線２１Ｂ，２２Ｂで示す。曲線２１Ｂ，２２Ｂの値は、前記偏重心パラメータＢにおける曲線２１Ａ，２２Ａの値よりも小さく設定している。これにより減速閾値が小さくなり、小さなＴＺＣ値でも減速化しやすい設定となっている。
【００２５】
なお、ＴＺＣ値の上限値（減速閾値）の曲線は、予め偏重心の分かっているディスクを用いて各テスト回転数ｆｔにおけるＴＺＣ値を測定することにより設定する。ここでは偏重心パラメータを２つの例について示したが、任意の数のパラメータを準備しても良い。
【００２６】
図３Ａ，図３Ｂ，図３Ｃは、偏重心パラメータを用いた減速判定の例を示す図である。ここでは、同一の光ディスク装置を種類の異なる２台のパソコンＰＣ１，ＰＣ２に組み込む場合を示す。一方光ディスクとして、偏重心量の異なる３種類の光ディスクＤ１，Ｄ２，Ｄ３について減速判定を行うものとする。各ディスクの偏重心量は、Ｄ１：０．７５ｇｃｍ、Ｄ２：０．５ｇｃｍ、Ｄ３：０．３ｇｃｍとする。パソコンＰＣ１とＰＣ２では光ディスク装置の固定方法が異なり、よって同一のディスクであってもＴＺＣ値の測定値が異なってくる。偏重心パラメータとしては、前記図２Ａの偏重心パラメータＡと前記図２Ｂの偏重心パラメータＢを選択して用いる。
【００２７】
図３Ａは、パソコンＰＣ１と偏重心パラメータＡを組み合わせた場合である。
図では、測定された各ディスクＤ１，Ｄ２，Ｄ３のＴＺＣ値をプロットし、適用する偏重心パラメータＡの減速閾値２１Ａ，２２Ａを示している。減速判定は次のようになる。最も偏重心量が大きいディスクＤ１は減速閾値２１Ａを越えているので、１０倍速（最低速度）に減速する。ディスクＤ２は減速閾値２２Ａを越えているので、１６倍速に減速する。最も偏重心量が小さいディスクＤ３はいずれの減速閾値も越えていないので、減速せずに２４倍速（最高速度）のままとする。
【００２８】
図３Ｂは、パソコンＰＣ２と偏重心パラメータＡを組み合わせた場合である。
ここではパソコンの違いにより、各ディスクＤ１，Ｄ２，Ｄ３のＴＺＣ値は前記図３Ａの場合よりも小さく測定されたとする。その結果減速判定は次のようになる。ディスクＤ１は、減速閾値２２Ａを越えているが減速閾値２１Ａを越えていないので、１６倍速に減速する。ディスクＤ２とＤ３はいずれの減速閾値も越えていないので、減速せずに２４倍速のままとする。その結果、偏重心量の大きいディスクＤ１とＤ２は減速しないので、ユーザにとって予想以上の振動と騒音を発生する場合がある。そのような場合には、次のように偏重心パラメータを切替えるようにする。
【００２９】
図３Ｃは、パソコンＰＣ２と偏重心パラメータＢを組み合わせた場合である。
ここでは前記図２Ｂに示す偏重心パラメータを適用し、その減速閾値を２１Ｂ，２２Ｂで示す。減速判定は次のようになる。最も偏重心量が大きいディスクＤ１は減速閾値２１Ｂを越えているので、１０倍速に減速する。ディスクＤ２は減速閾値２２Ｂを越えているので、１６倍速に減速する。最も偏重心量が小さいディスクＤ３はいずれの減速閾値も越えていないので、減速せずに２４倍速のままとする。これにより、偏重心量が大きいディスクＤ１とＤ２を減速させ、振動と騒音を抑制することができる。
【００３０】
このように、偏重心パラメータを複数個持ち適宜選択することで、光ディスク装置をどのようなパソコンに組み込んだ場合でも偏重心の大きなディスクに対して適切に減速させ、振動と騒音の低減を図ることが可能となる。
【００３１】
図４は、偏重心パラメータによる減速制御を示すフローチャートである。
装置のメモリ９には、予め複数の偏重心パラメータを登録をしておく。そして、初回の制御に適用する偏重心パラメータがデフォルト値として定められている。以下の減速制御は、メモリ９に格納されているファームウェアに従い、マイコン１０が実行する。
【００３２】
Ｓ１０１では、装置に光ディスクを装着する。
Ｓ１０２では、所定のテスト回転数ｆｔ（４５〜７５Ｈｚ）でディスクを回転させ、ＴＺＣ値を測定する。
Ｓ１０３では、メモリ９からデフォルト設定されている偏重心パラメータを読み出す。
【００３３】
Ｓ１０４では、測定したＴＺＣ値を偏重心パラメータの減速閾値と比較する。ＴＺＣ値が減速閾値を越えていればＳ１０５へ進み、ＴＺＣ値が減速閾値を越えていなければＳ１０６へ進む。
Ｓ１０５では、記録再生時のディスク回転数を偏重心パラメータで指定された制限速度に減速させて設定する。
Ｓ１０６では、記録再生時のディスク回転数を減速せずに設定する。
【００３４】
Ｓ１０７では、偏重心パラメータを切替えるかどうかをユーザが判断する。すなわち、Ｓ１０４の判定の結果減速されなかった場合であっても、振動・騒音が予想以上に大きく、減速閾値の小さい偏重心パラメータへの切り替えを実施したい場合にはＳ１０８へ進む。
Ｓ１０８では、ユーザはイジェクトボタンを使用して所望の偏重心パラメータを選択する。これにより次に適用する偏重心パラメータのデフォルト値が切替わる。偏重心パラメータの選択手順については、図５で詳細に説明する。
【００３５】
上記のフローチャートでは、Ｓ１０８のパラメータ切替えは減速制御において減速がなされなかった場合（Ｓ１０４でＮｏ）に行うものとしたが、逆に、減速がなされた場合（Ｓ１０４でＹｅｓ）にパラメータを切替えることも可能である。すなわち、減速後の振動や騒音が必要以上に小さく、むしろ高速化して使用したい場合にもＳ１０８のパラメータ切替えを実施することで、より使い勝手が向上する。
【００３６】
図５は、図４における偏重心パラメータ選択工程（Ｓ１０８）の詳細を示すフローチャートである。
Ｓ２０１では、ユーザはイジェクトボタンを押して光ディスクをイジェクト（排出）状態にする。
Ｓ２０２では、イジェクトボタンをさらに所定時間（例えば５ｓｅｃ）押し続けると、偏重心パラメータの選択モードに移行する。
【００３７】
Ｓ２０３では、イジェクト表示部（ＬＥＤなど）を点滅させることで、メモリ９に登録している偏重心パラメータを順に表示する。例えば３通りのパラメータＡ，Ｂ，Ｃが登録されているなら、それらを識別するために、「１回点灯、５ｓｅｃ消灯」（パラメータＡ）→「２回点滅、５ｓｅｃ消灯」（パラメータＢ）→「３回点滅、５ｓｅｃ消灯」（パラメータＣ）を繰り返す。その場合、減速閾値が下がるほど（より減速化がなされるほど）点滅回数が１回〜３回と増えるように決めておけば分かりやすい（あるいはその逆でも良い）。
【００３８】
Ｓ２０４では、切替えたいパラメータが表示されている期間におけるＬＥＤの消灯時にイジェクトボタンを押すことにより、所望のパラメータを選択する。
Ｓ２０５では、選択したパラメータを新たなデフォルト値としてファームウェアに書き込む。これにより偏重心パラメータの切替えが終了し、次回の減速制御に適用される。
【００３９】
本実施例によれば、光ディスク装置には予め複数の偏重心パラメータを登録している。よってユーザの使用環境やパソコンの固定方法が変化しても、減速制御に用いる偏重心パラメータをユーザが適宜選択して設定することができる。これより、ユーザの好みに応じて振動と騒音を低減することができる。また、偏重心パラメータの選択操作においてはイジェクトボタンを利用するが、イジェクトボタンを押してディスクをイジェクトさせた状態でのみ操作を可能としているので、通常のイジェクト操作との操作ミスを防止することができる。さらに、イジェクト表示部（ＬＥＤ）の点滅を併用することで偏重心パラメータの切り替え操作中であることを明確とし、簡便で確実にパラメータ切替を実施することができる。なお、パラメータ選択手段としてイジェクトボタンを併用するのではなく専用の操作ボタンを設けて、上記と同様の操作を行うことも可能であることは言うまでもない。
【符号の説明】
【００４０】
１…光ディスク、
２…ディスクモータ、
３…光ピックアップ、
４…モータ回転制御部、
５…レーザドライバ、
６…レーザパワー制御部、
７…エンコーダ、
８…再生信号処理部、
９…メモリ、
１０…マイコン、
１１…イジェクトボタン。
【図１】
2011096325.tif 000003
【図２Ａ】
2011096325.tif 000004
【図２Ｂ】
2011096325.tif 000005
【図３Ａ】
2011096325.tif 000006
【図３Ｂ】
2011096325.tif 000007
【図３Ｃ】
2011096325.tif 000008
【図４】
2011096325.tif 000009
【図５】
2011096325.tif 000010